(57)【特許請求の範囲】
【請求項１】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
金種または正損による紙幣の種別に応じて予め集積する一時集積部を定め、投入されたすべての紙幣を前記各一時集積部に集積した後、予め定めた一時集積部に該当する紙幣を集積するよう前記移送機構により一時集積部間で紙幣を入れ替えることを特徴とする紙幣整理装置。
【請求項２】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
前記各一時集積部に集積する紙幣のうちの特定の紙幣の金種または正損による種別を指定し、その指定した種別の紙幣は他の種別の紙幣の結束がすべて終了した後、紙幣結束機構に移送することを特徴とする紙幣整理装置。
【請求項３】
紙幣を投入する投入口と、
この投入口から搬送されてきた紙幣の金種や正損等の種別の鑑別を行う鑑別部と、
この鑑別部の鑑別結果に応じて前記紙幣を集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
前記鑑別部で最初に確定した種別の紙幣を紙幣結束機構に最も近い位置の一時集積部に集積することを特徴とする紙幣整理装置。
【請求項４】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
前記一時集積部の数に対して集積する紙幣の金種や正損による種別が少ないとき、集積すべき一時集積部に近い位置に移送機構のクランプ部を待機させることを特徴とする紙幣整理装置。
【請求項５】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
２つ以上の一時集積部に紙幣を集積するとき、集積枚数が先に一定枚数に達する一時集積部を予測し、予測した一時集積部に対応する位置に移送機構のクランプ部を待機させることを特徴とする紙幣整理装置。
【請求項６】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構とを備え、
前記一時集積部に、紙幣を集積する集積板と、集積枚数が一定枚数に達したとき紙幣を集積板に押さえつける押さえ板を開閉可能に配し、処理終了時に一時集積部から紙幣を抜き取る際は、前記集積板と押さえ板を開くことを特徴とする紙幣整理装置。
【請求項７】
請求項６において、
処理終了時に一時集積部に集積された紙幣のうち、抜き取る必要のない紙幣は集積板と押さえ板を閉じて挟持することを特徴とする紙幣整理装置。
【請求項８】
紙幣を投入する投入口と、
この投入口から搬送されてきた紙幣の金種や正損等の鑑別を行う鑑別部と、
この鑑別部の鑑別結果に応じて前記紙幣を金種や正損別に集積する複数の一時集積部を有する集積機構と、
前記一時集積部に集積された紙幣が一定枚数集積されたとき、その一定枚数の紙幣をクランプして一時集積部から抜き取るクランプ部を有する移送機構と、
この移送機構から受け取った一定枚数の紙幣をテープで結束し、紙幣束として放出する紙幣結束機構と、
紙幣枚数を記憶する記憶部とを備え、
前記投入口に複数回紙幣をセットして連続的に結束処理する場合、投入口にセットされた紙幣がすべて計数され、一時集積部に端数が集積されたとき、一時集積部毎の端数を前回の処理枚数として前記記憶部に記憶させ、
次に投入口にセットされた紙幣を計数して一時集積部に集積する途中で紙幣ジャムが生じることにより一時集積部に集積された紙幣を抜き取って回復処理した後、この紙幣を再度投入口にセットして計数を再開した際、前記記憶部に記憶されている一時集積部毎の端数枚数に達した時点で計数を停止し、そこから今回の処理枚数として計数することを特徴とする紙幣整理装置。
【発明の詳細な説明】
【０００１】
【発明の属する技術分野】
本発明は、紙幣を計数し、計数した紙幣を複数の一時集積部に集積して、一定枚数毎に結束して整理する紙幣整理装置に関するものである。
【０００２】
【従来の技術】
銀行等の金融機関においては精査時等に回収した紙幣を一定枚数毎に束ねて整理する紙幣結束整理装置が導入されている。
従来の紙幣結束整理装置は、金種混合の多数枚の紙幣を投入部にセットし、１枚づつ鑑別部に搬送して金種や正損等の鑑別を行い、予めオペレータが指定した金種や正損等の指定に基づいて一時集積部に集積し、集積枚数が一定になるとそれを紙テープ等の結束材により束ねて排出するものとなっている。
【０００３】
【発明が解決しようとする課題】
しかしながら、従来の紙幣結束整理装置では、１金種でかつ正券か損券かの指定しかできないため、例えば万円券で正券を指定すると、万円券の損券や他の金種の紙幣はすべてリジェクトされるため、複数金種や正損別に紙幣を選び分けて結束整理する場合、多大な手間や時間を要するという問題がある。
【０００４】
従って、本発明は、複数金種や正損別に紙幣を選び分けて結束整理する場合、その処理を迅速に行うことが可能で、かつ計数、結束にあたって種々の使い分けを行うことができる紙幣整理装置を実現することを課題とする。
【０００５】
【課題を解決するための手段】
そのため、本発明は、紙幣を投入する投入口と、この投入口から搬送されてきた紙幣の金種や正損等の鑑別を行う鑑別部と、この鑑別部の鑑別結果に応じて前記紙幣を金種や正損別に集積する複数の一時集積部を有する集積機構と、前記一時集積部に集積された紙幣が一定枚数集積されたとき、その一定枚数の紙幣をクランプして一時集積部から抜き取るクランプ部を有する移送機構と、この移送機構から受け取った一定枚数の紙幣をテープで結束し、紙幣束として放出する紙幣結束機構とを備え、金種または正損による紙幣の種別に応じて予め集積する一時集積部を定め、投入されたすべての紙幣を前記各一時集積部に集積した後、予め定めた一時集積部に該当する紙幣を集積するよう前記移送機構により一時集積部間で紙幣を入れ替えることを特徴とする。
【０００６】
【発明の実施の形態】
以下に図面を参照して本発明による紙幣結束整理装置の実施の形態について説明する。
図１は実施の形態の内部構造を示す概略側面図、図２は図１の上部の拡大図、図３は実施の形態の外観を示す斜視図、図４は図３の一部分拡大平面図である。
【０００７】
図において１は紙幣の投入口で、装置正面の上部に設けられている。２は紙幣の真偽、金種、正損、表裏等の鑑別、及び計数を行うと共に、搬送異常の検出を行う鑑別部で、装置内に設けられている。３は紙幣の搬送路で、この搬送路３については後で説明する。４は紙幣の表裏反転を行う表裏反転部で、装置内の鑑別部２の後段に位置するように設けられている。
【０００８】
５は結束対象外の金種の紙幣を集積するオープンポケットで、装置の上面に設けられており、このオープンポケット５に集積された紙幣はオペレータが直接アクセスできるものとなっている。
６は集積機構で、本実施の形態においてこの集積機構６には縦１列に４つの一時集積部６ａ〜６ｄが並べて装置内に設けられており、各一時集積部６ａ〜６ｄにそれぞれ予め定められた枚数、例えば本実施の形態では１００枚の紙幣が集積できるようになっている。
【０００９】
尚、一時集積部は４つに限らす３つ以上であればよい。
７は前記投入口１の一側に設けられた操作部で、この操作部７には紙幣の計数を指示する計数開始ボタン７ａ、装置の障害復旧時に装置を再稼働させるためのリセットボタン７ｂ、計数及び結束処理の完了を指示する完了ボタン７ｃが設けられている。
【００１０】
８は鑑別部２で金種不明と鑑別されたりあるいは搬送異常が検知されたリジェクト紙幣を集積するリジェクトポケットで、前記投入口１の上方に設けられており、このリジェクトポケット８に集積された紙幣にオペレータが直接アクセスできるものとなっている。
９は移送機構、１０は紙幣結束機構で、両者とも装置内に設けられており、この両者については後で説明する。
【００１１】
１１は紙幣束の放出口、１２は装置正面に設けられた扉で、この扉１２を開けることでオペレータは集積機構６にアクセスできるものとなっている。
１３は装置上面においてオープンポケット５の後方に位置するように設けられた操作表示部で、ＬＣＤとその表面に配置したタッチパネルによって構成されており、オペレータはこの操作表示部１３を操作してモードの指定や、一時集積部６ａ〜６ｄに集積する紙幣の金種、集積順序等の設定を行うものとなっている。
【００１２】
また、この操作表示部１３には鑑別部２で鑑別された紙幣の金種や正損及び計数結果等の表示も行われる。
ここで搬送路３について説明する。
装置内の上部において搬送路３は図２に示したように３ａ〜３ｄから成り、搬送路３ａは投入口１から鑑別部３を経て分岐点Ａにいたるように設けられ、搬送路３ｂは分岐点Ａからリジェクトポケット８にいたるように設けられている。
【００１３】
また、搬送路３ｃは分岐点Ａから表裏反転部４を経て分岐点Ｂにいたるように設けられており、そして搬送路３ｄは分岐点Ｂから図１に示したように装置の下部に伸びて集積機構６の一時集積部６ａ〜６ｄに沿うように設けられ、更に搬送路３ｅは分岐点Ｂからオープンポケット５にいたるように設けられている。
尚、分岐点Ａ、Ｂのそれぞれの近傍には紙幣の搬送方向を切替える図示しない切替えブレードが設けられ、後述する制御部により動作制御されるものとなっている。
【００１４】
図５は集積機構６の側面図である。
集積機構６には、前記のように４つの一時集積部６ａ〜６ｃが上下方向に並べて配置されており、これらの一時集積部６ａ〜６ｃは同一の構造を有しているので、以下に一時集積部６ａを例に取って説明する。
搬送路３ｄにより搬送されてきた紙幣は、一時集積部６ａの振り分けゲート２７により集積板２１に向かって取り込まれ、これにより一時集積部６ａに侵入した紙幣は叩き車２０により後部が叩かれて集積板２１の上に集積されるものとなっている。
【００１５】
また、以降侵入してくる紙幣に関しては、同様の動作で集積板２１上に集積した紙幣の上に集積される。
図６は一時集積部６ａの詳細を示す斜視図である。
一時集積部６ａに進入した紙幣は、前記は叩き車２０により叩かれるだけでなく、一時集積部６ａの一側に設けられた長手整位手段２２により長手方向の位置が揃えられ、更に一時集積部６ａの前端側に設けられた短手整位手段２２により短手方向の位置が揃えられる。
【００１６】
ここで、長手整位機構２２は正逆両方向への回転が可能なモータ２２ａと、このモータに連結部材２２ｂを介して連結された棒あるいは板状等の整位部材２２ｃを備え、進入してくる紙幣を検知する図示しない進入センサの検知信号にタイミングをとってモータ２２ａにより整位部材２２ｃを回動させることにより、紙幣を反対側に設置された基準面２５に押しつけることで整位するものとなっている。
【００１７】
また、短手整位機構２２は、図示しないトーションスプリング等の付勢手段によって付勢された棒状部材により構成され、集積された紙幣を進入口側に付勢することにより整位するものとなっている。
集積板２１上に紙幣が集積して行き、その集積高さが図示しない高さセンサにより基準値を越えたことが検知されると、集積板２１は自動的に下降して一時集積部６ａの空間を広げ、この動作により皺や折り目等に起因する紙幣の状態によって集積高さが違っても安定して集積が行えるようになっている。
【００１８】
集積板２１の上方には押さえ板２４が対向するように設けられ、この押さえ板２４は集積板２１上への紙幣の集積中は一時集積部６ａの上端に待機しており、順次取り込まれる紙幣の進入の邪魔にならないようになっている。
一時集積部６ａの集積板２１上に予め定められた枚数の紙幣、例えば１００枚の紙幣が集積されると、ゲート振り分け機構２７が紙幣を取り込まない姿勢に動作させ、１０１枚目以降の紙幣は一時集積部６ｂ〜６ｄのいずれかへ集積するように制御される。
【００１９】
紙幣の進入が停止した一時集積部６ａでは集積板２１を上昇させ、押さえ板２４を下降させることにより紙幣を挟持する。
この動作により皺等の紙幣の状態によって集積高さの異なる紙幣の厚みを一定にし、移動機構９への受渡しを容易にするようになっている。
集積板２１と押さえ板２４により挟持された紙幣は、後述する移動機構９のハンド部が短手整位機構２２側から一時集積部６ａに進入して引き抜かれるようになっている。
【００２０】
尚、一時集積部６ｂ〜６ｄも一時集積部６ａと同様の構造になっているので、一時集積部６ａと同様に紙幣を整位、集積、挟持することが可能である。
図７は移送機構９を示す斜視図である。
この移送機構９は、紙幣クランプ部３０、クランプ部移動手段３１、上下動手段３２を備えている。
【００２１】
紙幣クランプ部３０は上下方向に開閉するクランプ爪３５ａ、３５ｂを有し、この紙幣クランプ部３０はクランプ部移動手段３１上に搭載されていて、一時集積部６ａ〜６ｂからクランプ爪３５ａ、３５ｂで紙幣をクランプして引き抜くときは、クランプ部移動手段３１が紙幣クランプ部３０を一時集積部６ａ〜６ｂに対して押し出し、１００枚の紙幣をクランプできる位置まで移動させるようになっている。
【００２２】
紙幣クランプ部３０とクランプ部移動手段３１は上下動手段３２により一時集積部６ａから６ｄの間を一体に上昇及び下降し、紙幣１００枚の集積が完了した一時集積部６ａ〜６ｂのいずれか１つの前で停止するように制御されるものとなっている。
そのため、上下動手段３２のフレームには、一時集積部６ａ〜６ｄのそれぞれの位置に対応してポジションセンサ３３ａ〜３３ｄが配設されており、例えば、一時集積部６ａに集積された紙幣を抜き取るときは、ポジションセンサ３３ａの位置まで上下動手段３２によりクランプ部移動手段３１が引き上げられる。
【００２３】
引き上げられたクランプ部移動機構３１は、紙幣クランプ部３０が紙幣を一時集積部６ａから抜き取る間、この位置に固定する必要があるので、ポジションセンサ３３ａで停止した位置で回転可能なストッパカム３４がクランプ部移動手段３１に係止して落下を防止するようになっている。
この移送機構９の一連の動作を説明すると、例えば一時集積部６ａに集積された紙幣を引き抜く場合、まず上下動手段３２により紙幣クランプ部３０をクランプ部移動機構３１と共にポジションセンサ３３ａの位置まで上昇させ、ポジションセンサ３３ａがクランプ部移動機構３１を検知した位置で上昇を停止させると同時にストッパカム３４を回転させてクランプ部移動手段３１に係止させる。
【００２４】
これによってクランプ部移動手段３１を一時集積部６ａと対応する位置に固定し、この状態でクランプ移動機構３１により紙幣クランプ部３０のクランプ爪３５ａ、３５ｂを上下方向に開いて１００枚の紙幣をクランプする準備を行い、更にクランプ移動機構３１により紙幣クランプ部３０を一時集積部６ａの方向に押し出す。
【００２５】
押し出された紙幣クランプ機構３０のクランプ爪３５ａ、３５ｂは、一時集積部６ａの短手整位機構２３側に設けられている開口部に挿入され、集積板２１と押さえ板２４により挟持されている紙幣を上下から挟みつけて把持する。
次に、集積板２１と押さえ板２４を開くことで、両者による紙幣の挟持を解除すると、これにより１００枚の紙幣が紙幣クランプ部３０に渡されたことになるので、クランプ爪３５ａ、３５ｂで紙幣を把持した紙幣クランプ部３０をクランプ部移動手段３１により引き戻す。
【００２６】
このときクランプ爪３５ａ、３５ｂに把持された紙幣は一時集積部６ａの短手整位機構２３に当たるが、そのまま紙幣クランプ部３０を引き戻すと短手整位機構２３は紙幣の押圧力により付勢手段に抗して整位方向と逆の方向に倒れ、これにより紙幣は一時集積部６ａからスムーズに抜き取られる。
そして、紙幣クランプ部３０が元の位置まで引き戻されると、クランプ部移動手段３１に係止してストッパカム３４が回転してその係止が解除され、紙幣を把持した紙幣クランプ部３０と共にクランプ移動手段３１が上下動手段３２により移動経路の最下端に位置する紙幣結束機構１０まで移動し、紙幣クランプ部３０のクランプ爪３５ａ、３５ｂに把持された紙幣が紙幣結束機構１０に引き渡される。
【００２７】
図８は紙幣結束機構１０の側面図である。
この紙幣結束機構１０は、ローラ及びベルト等から成る搬送手段４０と、紙テープ等による結束用のテープ４１と、印字手段４２と、テープ４１を供給する供給手段４３と、テープ４１を所定の長さに切断するカッター４４と、図示しない結束手段を備えており、以下のように紙幣を結束する。
【００２８】
まず、搬送路１０が移送機構９の紙幣クランプ部３０から１００枚の紙幣を一括して受け取り、結束位置に搬送する。
テープ供給手段４３はテープ４１を前記結束手段に供給し、その際、印字手段４２はテープ４１に結束する紙幣の金種等をインクリボンを介して印字する。
印字されたテープ４１は所定の長さにカッター４４で切断され、この切断されたテープを結束手段が結束位置に搬送された１００枚の紙幣に巻き掛けて結束することにより紙幣束を作る。
【００２９】
こうして作られた紙幣束は更に搬送手段４０により搬送され、放出口１１に送られる。
図９は紙幣の計数に係わる制御系のブロック図である。
図において５０は本紙幣整理装置全体の動作処理制御を行う制御部、５１ａ〜５１ｄはカウンタで、このカウンタ５１ａ〜５１ｄは一時集積部６ａ〜６ｄに１対１で対応し、例えば一時集積部６ａに集積された紙幣の枚数はカウンタ５１ａにカウントされ、同様に一時集積部６ｂに集積された紙幣の枚数はカウンタ５１ｂ、一時集積部６ｃに集積された紙幣の枚数はカウンタ５１ｃ、一時集積部６ｄに集積された紙幣の枚数はカウンタ５１ｄにカウントされる。
【００３０】
５２は記憶部で、一時集積部６ａ〜６ｄに集積される紙幣の金種や、計数された金種毎の紙幣の枚数等を記憶するものである。
次に、上述した構成の作用いついて説明する。
装置の電源が投入されると操作表示部１３に初期画面が表示されるので、この初期画面の表示モードを指で押下して選択する。
【００３１】
これによりモード設定の画面が操作表示部１３に表示されるので、この画面に表示されている入金モードまたは整理モードを選択する。
入金モードは、現金の入金取引を行って紙幣を計数し、取引の番号毎、指定した区分毎等に分類集計した結果を記憶部に５２に記憶する処理を行うモードであり、また整理モードは、分類集計結果は記憶部に記憶しないモードしている。
【００３２】
次に、入金モードまたは整理モードにおける動作モードを選択する。
この動作モードには、単に紙幣の計数のみを行う計数モード、指定した金種の紙幣を結束する指定金種結束モード、指定した金種の紙幣の正損を分類しながらきれいな正券のみ結束する正券分類結束モード、指定した金種の紙幣の正損を分類しながらきれいな正券と汚損のある損券の両方をそれぞれ結束する正損券分類結束モードがあり、これらの各動作モードの選択画面が操作表示部３に表示されるので、その中から１つを選択する。
【００３３】
計数モードは投入口１にセットした紙幣を鑑別部２に搬送し、金種鑑別及び計数を行ってオープンポケット５に放出するもので、この計数モードについては以後言及しないものとする。
指定金種結束モード、正券分類結束モード、正損券分類結束モードでは紙幣の正損鑑別を行うが、予め０〜９の段階に設定された汚損度を示す数値によりレベル指定することができ、その指定された正損レベルを鑑別の基準値として、基準値未満を正券とし、基準値以上を損券として鑑別する。
【００３４】
次に、各結束モードおける金種の指定について説明する。
基本的には、各々のモードと、そのモードにおける指定金種等の一連の設定項目は記憶部５２に記憶される。
この記憶部５２はバッテリ等でバックアップされているので、電源遮断時に記憶内容が保持される。
【００３５】
従って、電源投入による立ち上げ時に記憶部５２の記憶内容が制御部５０により読み込だされ、それにより処理が実行されるが、以下の操作により設定の変更が可能である。
指定金種結束モードでは、金種の指定は単一金種でも、複数金種でも可能であり、例えば、万円、千円、５千円、２千円のうちの単一金種の指定と、万円と千円または万円と５千円のように複数金種の指定が可能である。
【００３６】
正券分類結束モード、４金種すべてを同時に整理して結束することを基本とするが、万円、千円、５千円、２千円の各ボタンを任意に押下して金種指定することにより、その単一金種、及び２金種の紙幣の結束が可能になる。
正損券分類結束モードは、万円、千円の正損を分類して結束する処理を基本としているが、万円、千円、５千円、２千円の各ボタンを任意に押下して金種指定することにより、単一金種の指定、及２金種の指定が可能になっている。
【００３７】
各々のモードで指定された金種は記憶部５２に記憶される。
この他、一時集積部６ａ〜６ｃに対して集積する紙幣の金種を指定することもでき、指定された場合そのデータが記憶部５２に記憶され、後述する紙幣集積の際にそのデータに基づいて制御が行われる。
以上のようにモード、及び金種等を設定し、実際の紙幣の処理を実行させる。
【００３８】
例えば、指定金種結束モードが選択され、結束する金種として万円と千円が指定されている場合、オペレータは複数の金種が混在している紙幣を投入口１にセットし、操作部７に配置された計数開始ボタン７ａを押下すると、紙幣の取り込みが開始される。
これにより投入口１から１枚づつ紙幣が分離されて搬送路３ａにより鑑別部２に搬送され、鑑別部２で紙幣の真偽、金種、表裏、正損等の鑑別と計数、及び搬送異常の有無の検出が行われる。
【００３９】
その結果、真券で五千円や２千円と鑑別された結束対象外の紙幣は搬送路３ｃ及び３ｅによりオープンポケット５に搬送されて集積され、また、偽あるいは金種不明と鑑別された紙幣、及び重送等の搬送異常が検出された紙幣は搬送路３ｂによりリジェクトポケット８に搬送されて集積される。
真券で千円または万円と鑑別された紙幣は正損の鑑別結果に関わらず搬送路３ｃにより表裏反転部４に搬送され、この表裏反転部４で表裏が揃えられた後、搬送路３ｄにより集積機構６に搬送されて以下のように一時集積部６ａ〜６ｄに集積される。
【００４０】
まず、千円または万円の紙幣のうち、先に鑑別部２に搬送され、金種が確定した紙幣が、一時集積部６ａに集積され、後から鑑別部２に搬送された金種の紙幣は一時集積部６ｂに集積される。
つまり、先に鑑別部２に搬送された紙幣の金種が一時集積部６ａに集積される金種として決定され、これにより一時集積部６ｂに集積される紙幣の金種も一義的に決まるので、先に鑑別部２に搬送された紙幣の金種が万円であれば一時集積部６ａに万円が集積され、一時集積部６ｂには千円の紙幣が集積されることになる。
【００４１】
但し、予め操作表示部１３で一時集積部６ａと一時集積部６ｂの一方に万円券を集積し、他方に千円券を集積するように指定してある場合は、その指定に従って紙幣の集積を行う。
一時集積部６ａに集積された紙幣の枚数はカウンタ５１ａでカウントされ、一時集積部６ｂに集積された紙幣の枚数はカウンタ５１ｂでカウントされる。
【００４２】
つまり、一時集積部６ａ及び６ｂに紙幣が１枚集積される毎に制御部５０によりカウンタ５１，５１ｂの値が「１」づつ加算される。紙幣の取り込みが進み、一時集積部６ａに集積された紙幣が１００枚に達すると、その金種の紙幣の集積場所は一時集積部６ｃに移され、１０１枚目から一時集積部６ｃに集積される。
【００４３】
同様に、一時集積部６ｂに集積された紙幣が１００枚に達すると、１０１枚目から一時集積部６ｄに集積される。
一時集積部６ｃ，６ｄされた紙幣の枚数はカウンタ５１ｃ，５１ｄでカウントされることは無論である。
１００枚に達した一時集積部６ａの紙幣は、前述したように移送機構９により一時集積部６ａから引き抜かれて紙幣結束機構１０に送られる。
【００４４】
これにより、一時集積部６ａは空の状態になるので、新たに一時集積部６ｃまたは６ｄの紙幣の集積枚数が１００枚に達した場合、空になった一時集積部６ａへの切替えが可能になる。
このとき、カウンタ５１ａの値はクリアされる（一時集積部６ｂ〜６ｄの紙幣が抜き取られた場合も、カウンタ５１ｂ〜５１ｄの値がクリアされる）。
【００４５】
紙幣結束機構１０は移送機構９から１００枚の紙幣を受け取り、受け取った紙幣を前記のようにテープで結束して紙幣束として放出口から放出する。
このようにして順次万円と千円の紙幣が１００枚づつ結束されて放出される。すべての紙幣の計数と集積が完了したとき、一時集積部６ａ〜６ｂに残った端数の枚数については一時集積部の扉１２を開けることにより取り出し可能となっている。
【００４６】
尚、図示していないが、集積機構９には各一時集積部６ａ〜６ｂの各々の近傍にＬＣＤ等による表示部が設けられており、この表示部に集積している金種や正損の種別を表示すると共に、カウンタ５１ａ〜５１ｄの値に基づいて一時集積部６ａ〜６ｂに残った端数の枚数の表示を行うものとなっている。
また、結束する金種として５千円または２千円と万円及び千円の３金種を指定したときは、一時集積部６ａ〜６ｄのうちの３つを集積に使用し、残りの１つを予備とし、この予備の一時集積部を先に１００枚集積した金種の紙幣の集積に利用することで前記と同様に連続的に結束処理することが可能である。
【００４７】
また、結束金種を前記の４金種を指定した場合は、一時集積部６ａ〜６ｄに対してそれぞれ１金種づつ割り当てられるので、いずれかの金種の紙幣が１００枚集積される毎に紙幣の取り込み及び搬送を停止し、１００枚の紙幣を移送機構９により抜き取ってから取り込み及び搬送を再開することで結束処理を行う。
この場合、途中で紙幣の取り込み及び搬送を停止するので、全体的なスピードは落ちるものの、連続的な結束処理は可能である。
【００４８】
正券分類結束モードは、鑑別部２の正損鑑別で損券を鑑別された紙幣をオープンポケット５に搬送して集積する以外は、上述した指定金種結束モードと同様に処理される。
また、正損分類結束モードでは、  万円、千円、５千円、２千円のうちの１金種の紙幣を正券と損券を分けて結束する場合は、上述した万円と千円の結束処理と同様に行うことができ、１金種の紙幣を正券と損券を分けて結束する場合は、一時集積部６ａ〜６ｄに対してそれぞれ１金種づつ正券と損券が割り当てられるので、いずれかの金種の紙幣が１００枚集積される毎に紙幣の取り込み及び搬送を停止し、１００枚の紙幣を移送機構９により抜き取ってから取り込み及び搬送を再開することで結束処理を行う。
【００４９】
以上説明した実施の形態によれば、複数の一時集積部を設け、この一時集積部に金種別あるいは正損別に紙幣を集積し、一定枚数集積された紙幣を移送機構により順に紙幣結束部に移送して結束処理を行うようにしているため、金種あるいは正損による複数の種別の紙幣を一度に結束処理することができる。また、複数の一時集積部の１つを予備として使用することにより、一定枚数に達した紙幣の集積場所を変えながら中断することなく集積、結束の処理をスムーズに行えるので、効率よく結束処理を実行することが可能となる。
【００５０】
また、一時集積部を複数有するので、特に金種を指定しなくとも複数の一時集積部に異なる種別の紙幣を集積して結束処理することが可能になり、操作性が向上する。
また、一時集積部の側方に表示部を設けて、集積された金種や正損及び枚数を一時集積部毎に表示するため、紙幣の集積内容を一目で確認することが可能となり、紙幣を一時集積部から取り出す際の間違いをなくすことが可能になる。
【００５１】
この他にも装置の運用において以下に述べる種々の使用形態が実施される。
例えば、予め一時集積部６ａ〜６ｄについて最終の集積金種や正損の種別の指定を行い、投入口１にセットされた紙幣がすべて集積機構６に送られて一時集積部６ａ〜６ｂの２つ以上に集積された場合、前記の指定に従って移送機構９により集積場所を入れ替えるように制御する。
【００５２】
このようにすることで、下記の効果が得られる。
すなわち、処理終了時に複数の一時集積部のどの金種や正損の紙幣が集積されているかは、処理毎に異なる可能性が高いが、上述した制御を行えば、処理終了時に、一時集積部に残った紙幣を取り出す必要がある場合、どの一時集積部にどの金種や正損の紙幣が集積されているかを係員が確認する必要がなくなり、取り出す紙幣の金種や正損を間違えることがなくなる。
【００５３】
また、処理の最後に結束する金種や正損の種別を予め指定し、指定した種別の紙幣は他の集積枚数が１００枚つまり設定枚数になっても、紙幣結束機構１０への移送は行わず、指定以外の紙幣の紙幣結束機構１０への移送がすべて終了した後、紙幣結束機構１０へ移送して結束するように制御する。
このようにすることで、下記の効果が得られる。
【００５４】
例えば、万円券を大量に結束処理しているとき、５千円券がいずれかの一時集積部に集積されていて、その枚数が１００枚になったとき、これまで万円券の紙幣の束ばかりが放出口１１に放出されているなかに５千円券の束が紛れ込むことになり、そのためその後の紙幣束の処理で異種券の混入が起きる事故を引き起こす可能性があるが、上述した制御によりこのような事故を防止することが可能になる。
【００５５】
また、音や光等による警報を発する警報装置を設けておき、結束後に排出される紙幣の種別を予め指定して、指定した種別の紙幣の束が放出された場合、前記警報装置により注意喚起のための警報を発するように制御する。
このようにすることで、例えばある金種で大量に紙幣を正損に分類して結束処理しているとき、数の多い正券の束の中に数の少ない損券の束が混入することになるので、損券の束が放出されたとき、上述したように警報を発することで、損券の束を取り出すことができ、束の混入を防ぐことができる。
【００５６】
また、放出口１１を複数設けると共に、この放出口１１と紙幣結束機構１０の間に振り分け部を設けて、各放出口１１に放出する種別を指定して、その指定に従って紙幣の束を振り分け部により振り分けて各放出口１１に放出するよう制御する。
このように制御することで、例えばある金種で大量に紙幣を正損に分類して結束処理する場合、正券の束と損券の束を確実に分けることができるので束の混入を防ぐことができる。
【００５７】
また、一時集積部６ａ〜６ｄに対して集積する金種の紙幣を指定しない場合、一時集積部６ａ〜６ｄに集積する紙幣のうち、鑑別部２で最初に確定した金種の紙幣を紙幣結束機構１０に最も近い位置の一時集積部６ｄに集積するように制御する。
このようにすることで、下記の効果が得られる。
【００５８】
例えば、複数の金種あるいは正損の紙幣を一時集積部に集積する場合、紙幣結束機構に対して各々の一時集積部の距離が異なるので、単一金種の紙幣を結束する場合や、複数金種の紙幣を結束する場合の枚数の多い金種の紙幣あるいは最初に鑑別部で金種が確定した紙幣を集積する際、紙幣結束機構に最も近い一時集積部に集積することで、その後の処理速度を向上させることができる。
【００５９】
また、一時集積部６ａ〜６ｂに対して紙幣の集積する金種や正損による種別が少ない場合、例えば単一金種の紙幣を正損に分けて集積するとき、最初に使用するのは一時集積部６ａ〜６ｂのうちの２つであるので、その使用する場所に近い位置に移送機構９のクランプ部３０を位置付けるように制御する。
この制御することにより紙幣が１００枚集積されたとき、直ぐにその紙幣をクランプ部３０で把持して紙幣結束機構１０に移送できるので、処理の高速化をはかることが可能となる。
【００６０】
また、一時集積部６ａ〜６ｂのうちの２つ以上に紙幣を集積する場合、カウンタ５１ａ〜５１ｂの値から最初に１００枚に達する一時集積部を予測して、その一時集積部と対応する位置に移送機構９のクランプ部３０を待機させるように制御する。
このように制御しても、紙幣が１００枚集積されたとき、直ぐにその紙幣をクランプ部３０で把持して紙幣結束機構１０に移送できるので、処理の高速化をはかることが可能となる。
【００６１】
また、各モードにおいて処理終了後に一時集積部６ａ〜６ｄに集積された紙幣を抜き取る場合、各一時集積部６ａ〜６ｄの集積板２１と押圧部材２４を開くように制御する。
このようにすることによって、紙幣の抜き取りが容易となり、操作性が向上する。
【００６２】
また、処理終了後に抜き取る必要のない種別の紙幣が有る場合、その種別の紙幣を予め操作表示部１３により指定し、計数終了時に指定いされた紙幣を集積板２１と押圧部材２４を閉じて挟持するように制御部する。
このようにすることで抜き取る必要のない種別の紙幣が不用意に抜き取られることを防止することができる。
【００６３】
更に、投入口１に複数回紙幣をセットして連続的に結束処理する場合、投入口１にセットされた紙幣がすべて計数され、一時集積部６ａ〜６ｄに端数が集積されたとき、一時集積部毎の端数を前回の処理枚数として記憶部５２に記憶させ、次に投入口１にセットされた紙幣を計数して一時集積部６ａ〜６ｄに集積する途中で紙幣ジャムが生じることにより一時集積部６ａ〜６ｄに集積された紙幣を抜き取り、回復処理後、この紙幣を再度投入口１セットして計数を再開した際、記憶部５２に記憶されている一時集積部毎の端数枚数に達した時点で計数を停止し、そこから今回の処理枚数として計数するように制御する。
【００６４】
このようにすることにより、先の処理と後の処理における紙幣の計数データを確実に管理できるので、紙幣ジャムが生じた際、手作業による管理やオペレータによるデータの入力処理等が不要になると共に、紙幣の結束処理をそのまま継続して先の処理の紙幣と後の処理の紙幣を同一の束として結束することが可能となる。
【００６５】
【発明の効果】
以上説明したように、本発明は、紙幣を投入する投入口と、この投入口から搬送されてきた紙幣の金種や正損等の鑑別を行う鑑別部と、この鑑別部の鑑別結果に応じて前記紙幣を金種や正損別に集積する複数の一時集積部を有する集積機構と、紙幣をクランプするクランプ部を有する移送機構と、この移送機構から受け取った一定枚数の紙幣をテープで結束し、紙幣束として放出する紙幣結束機構とを備え、前記移送機構は、前記クランプ部を前記複数の一時集積部の１つに対応する位置に位置付け、その位置からクランプ部を一時集積部側に押し出して一時集積部に集積されている紙幣をクランプ部でクランプし、クランプ後クランプ部を前記位置に引き戻してから前記紙幣結束機構へ移動させる構成として、投入された紙幣を１枚づつ分離搬送して真偽、金種、正損等の鑑別を行うと共に計数し、真券と鑑別された紙幣を金種や正損別に前記一時集積部にそれぞれ一時集積して、各一時集積部毎に一定枚数集積された紙幣を結束部に送って結束処理を行うようにしているため、金種あるいは正損による複数の種別の紙幣を一度に結束処理することができるという効果が得られる。
【００６６】
また、複数の一時集積部の１つを予備として使用することにより、一定枚数に達した紙幣の集積場所を変えながら中断することなく集積、結束の処理をスムーズの行えるので、効率よく処理を実行することが可能になるという効果も得られる。
また、一時集積部を複数有するので、特に金種を指定しなくとも複数の一時集積部に異なる種別の紙幣を集積して結束処理することが可能になり、操作性が向上するという効果も得られる。
【００６７】
更に、一時集積部の側方に表示部を設けて、集積された金種や正損及び枚数を一時集積部毎に表示するため、紙幣の集積内容を一目で確認することが可能となり、紙幣を一時集積部から取り出す際の間違いをなくすことが可能になるという効果も得られる。
【図面の簡単な説明】
【図１】実施の形態を示す概略側面図。
【図２】図１の上部の拡大図。
【図３】実施の形態の外観を示す斜視図。
【図４】図３の一部分拡大図。
【図５】集積機構の側面図。
【図６】一時集積部の斜視図。
【図７】移送機構の斜視図。
【図８】紙幣結束機構の側面図。
【図９】制御系を示すブロック図。
【符号の説明】
１  投入口
２  鑑別部
３  搬送路
５  オープンポケット
６  集積機構
６ａ〜６ｄ  一時集積部
９  移送機構
１０  紙幣結束機構
１３  操作表示部
２１  集積板
２４  押さえ板
５０  制御部
５１ａ〜５１ｄ  カウンタ
５２  記憶部
【図１】
0004363541.tif 000002
【図２】
0004363541.tif 000003
【図３】
0004363541.tif 000004
【図４】
0004363541.tif 000005
【図５】
0004363541.tif 000006
【図６】
0004363541.tif 000007
【図７】
0004363541.tif 000008
【図８】
0004363541.tif 000009
【図９】
0004363541.tif 000010